(57)【要約】【課題】  燃料ガスを燃焼バーナーにより炉内において燃焼させた後、燃焼排ガスを炉内から排気管を通して排出させるにあたり、有害なNOXや未燃成分ガスが含まれた燃焼排ガスが外部に排出されるのを防止すると共に、燃焼排ガスの熱を有効に利用する。【解決手段】  炉10内において、燃焼バーナー12により燃料ガスと燃焼用空気とを混合させて燃焼させ、燃焼後の燃焼排ガスを炉内から排気管13を通して排出させるにあたり、排気管に三元触媒を収容させた排ガス処理部23を設けると共に、排ガス処理部よりも燃焼排ガスの排出方向上流側の位置に、燃焼排ガスの熱によって燃焼用空気を加熱させる第１熱交換部31を設け、排ガス処理部よりも燃焼排ガスの排出方向下流側の位置に、排ガス処理部から導かれた燃焼排ガスの熱によって燃焼用空気を加熱させる第２熱交換部32を設けた。【選択図】  図１
2018004171.tif 000002
【特許請求の範囲】
【請求項１】
燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けたことを特徴とする工業炉。
【請求項２】
請求項１に記載の工業炉において、前記の第２熱交換手段によって加熱された燃焼用空気を前記の第１熱交換手段に導き、この第１熱交換手段において、第２熱交換手段から導かれた加熱された燃焼用空気を燃焼排ガスの熱によりさらに加熱させて、前記の燃焼バーナーに供給させ、前記の排ガス処理部に収容させた三元触媒により、燃焼排ガスに含まれる窒素酸化物を燃焼排ガスに含まれる未燃成分ガスによって還元させることを特徴とする工業炉。
【請求項３】
請求項１又は請求項２に記載の工業炉において、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けたことを特徴とする工業炉。
【請求項４】
請求項１〜請求項３の何れか１項に記載の工業炉において、前記の排ガス処理部と前記の第２熱交換手段との間に、前記の排ガス処理部から排出された燃焼排ガスに含まれる未燃成分ガスを燃焼させる後燃焼装置を設けたことを特徴とする工業炉。
【請求項５】
請求項１〜請求項４の何れか１項に記載の工業炉において、前記の燃焼バーナーを複数設けたことを特徴とする工業炉。
【請求項６】
燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設ける一方、前記の排ガス処理部よりも燃焼排ガスの排出方向下流側の位置に、排ガス処理部から導かれた燃焼排ガスの熱によって予備加熱帯における雰囲気ガスを加熱させる第２熱交換手段を設け、予備加熱帯における雰囲気ガスを、この第２熱交換手段により加熱させて循環させることを特徴とする工業炉。
【発明の詳細な説明】
【技術分野】
【０００１】
本発明は、燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉に関するものである。特に、前記のように燃焼バーナーに燃料ガスと燃焼用空気とを供給して、燃焼バーナーにより燃料ガスを炉内において燃焼させるにあたり、燃焼排ガス中に有害な窒素酸化物（以下、ＮＯｘという。）が含まれ、またＣＯガスや炭化水素ガス（ＨＣ）等の未燃成分ガスが含まれた状態で、燃焼排ガスが排気管を通して外部に排出されるのを防止すると共に、燃焼排ガスの熱を有効に利用するようにした点に特徴を有するものである。
【背景技術】
【０００２】
従来から、加熱炉や熱処理炉等の工業炉においては、被処理物を加熱処理するにあたり、一般に、燃焼バーナーに燃料ガスと燃焼用空気とを供給して、前記の燃焼バーナーにより燃料ガスを炉内において燃焼させ、燃焼後の燃焼排ガスを、炉内から排気管を通して排出させるようにしている。
【０００３】
ここで、このような工業炉において、前記のように燃焼バーナーに燃料ガスと燃焼用空気とを供給して、燃料ガスを炉内において燃焼させるにあたり、燃焼効率を高めるために、燃料ガスに対する燃焼用空気の量を多くして燃焼を行うと、燃焼時にＮＯｘが多く発生し、ＮＯｘを多く含む燃焼排ガスが炉内から排気管を通して外部に排出されて、環境を大きく害するという問題があった。特に、近年においては、燃焼排ガス中におけるＮＯｘを大幅に低減させることが要望されている。
【０００４】
一方、ＮＯｘが燃焼排ガスに含まれるのを抑制するために、燃料ガスに対する燃焼用空気の量を少なくして燃焼を行うと、燃焼効率が低下すると共に、燃焼排ガス中にＣＯガスや炭化水素（ＨＣ）ガス等の未燃成分ガスが多く残り、この未燃成分ガスが炉内から排気管を通して外部に排出されて、安全性や環境の点において問題があった。
【０００５】
そして、近年においては、特許文献１に示されるように、ラジアントチューブバーナーからの燃焼排ガスを、窒素酸化物還元触媒を用いて浄化し、得られたＮＯｘ浄化ガスに空気比μ（実際の空気量／理論空気量）が１．０以上となるように燃焼用空気を添加した後、更に酸化触媒を用いて未燃成分を酸化除去させるようにしたものが提案されている。
【０００６】
ここで、特許文献１に示されるものにおいては、窒素酸化物還元触媒を収容させた第１の排ガス処理部と、酸化触媒を収容させた第２の排ガス処理部とを設けると共に、この第１の排ガス処理部と第２の排ガス処理部との間に空気を供給させることが必要になり、装置が複雑になって大型化する等の問題があった。
【０００７】
また、排ガス処理の一つとしては、三元触媒によって、安全、環境、人体などに悪影響を与えるＣＯ、ＨＣ、ＮＯｘを酸化・還元し、Ｈ2Ｏ、ＣＯ2、Ｎ2に変化させて浄化するものが知られている。例えば、特許文献２に示されるように、蓄熱層を有する交番燃焼バーナーにおいて、各バーナー部の蓄熱層に三元触媒層を設け、三元触媒層の活性条件に合わせるように、炉内空気比を０．９８〜１．０２に調整して燃焼させるようにしたものも提案されている。
【０００８】
しかし、特許文献２に示されるものは、使用する炉の種類や使用条件が限定されており、様々な炉において様々な条件の下で使用することは困難であった。
【先行技術文献】
【特許文献】
【０００９】
【特許文献１】特開２００１−２４１６１９号公報
【特許文献２】特開平７−１３３９０５号公報
【発明の開示】
【発明が解決しようとする課題】
【００１０】
本発明は、燃焼バーナーに燃料ガスと燃焼用空気とを供給し、前記の燃焼バーナーにより燃料ガスを炉内で燃焼させ、燃焼後の燃焼排ガスを、炉内から排気管を通して排出させるようにした工業炉における前記のような問題を解決することを課題とするものである。
【００１１】
すなわち、本発明における工業炉においては、燃焼バーナーに燃料ガスと燃焼用空気とを供給して、燃料ガスを燃焼バーナーにより炉内において燃焼させた後、燃焼排ガスを炉内から排気管を通して排出させるにあたり、燃焼排ガス中に有害なＮＯｘが含まれ、またＣＯガスや炭化水素（ＨＣ）ガス等の未燃成分ガスが含まれた状態で、燃焼排ガスが外部に排出されるのを適切に防止すると共に、燃焼排ガスの熱を有効に利用するようにした点に特徴を有するものである。
【課題を解決するための手段】
【００１２】
本発明に係る工業炉においては、前記のような課題を解決するため、燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けるようにした。
【００１３】
そして、前記の工業炉においては、前記の排ガス処理部に収容させた三元触媒により、燃焼排ガスに含まれるＮＯｘを燃焼排ガスに含まれる未燃成分ガスによって還元させるようにする。この場合、燃焼バーナーに燃料ガスと燃焼用空気とを供給するにあたり、燃料ガスに対する燃焼用空気の量を少なくして燃焼用空気の空気比μを１．０以下にすると、燃焼時に発生するＮＯｘの量が少なくなって燃焼排ガスに含まれるＮＯｘが減少し、更に燃焼排ガスに含まれるＮＯｘが前記の三元触媒により燃焼排ガスに含まれる未燃成分ガスによって十分に還元されるようになる。
【００１４】
また、本発明に係る工業炉においては、排ガス処理部よりも燃焼排ガスの排出方向上流側の位置に設けた第１熱交換手段において、燃焼バーナーに供給する燃焼用空気を燃焼排ガスの熱によって加熱させると共に、排ガス処理部よりも燃焼排ガスの排出方向下流側の位置に設けた第２熱交換手段において、燃焼バーナーに供給する燃焼用空気を燃焼排ガスの熱によって加熱させるようにする。このようにすると、第１熱交換手段と第２熱交換手段とにおいて、燃焼バーナーに供給される燃焼用空気が燃焼排ガスの熱により十分に加熱されて、燃焼排ガスの熱が有効に利用されるようになる。
【００１５】
ここで、前記の工業炉においては、前記の第２熱交換手段において加熱された燃焼用空気を前記の第１熱交換手段に導き、この第１熱交換手段において、第２熱交換手段から導かれた加熱された燃焼用空気を燃焼排ガスの熱によりさらに加熱させて、前記の燃焼バーナーに供給させるようにすることができる。
【００１６】
また、本発明に係る工業炉においては、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けるようにすることができる。
【００１７】
そして、前記の制御手段においては、前記の排ガス処理部を通して排出される燃焼排ガスに含まれる窒素酸化物の量に対応させて、燃料ガス案内路を通して案内する燃料ガスの量を制御させるようにする。
【００１８】
ここで、前記のように燃焼バーナーに燃料ガスと燃焼用空気とを供給するにあたり、燃焼効率を高めるために、燃料ガスに対する燃焼用空気の量が多くなった状態で、燃料ガスを前記の燃焼バーナーにより燃焼させた結果、燃焼排ガス中にＮＯｘが多く含まれるようになった場合には、前記の燃焼排ガスが排気管を通して三元触媒を収容させた排ガス処理部に導かれる前に、前記の制御手段により燃料ガス案内路を通して適当量の燃料ガスを供給させるようにする。このようにすると、ＮＯｘが多く含まれる燃焼排ガスと適当量の燃料ガスとが一緒になって排ガス処理部に導かれ、前記の三元触媒の作用によって、燃焼排ガス中におけるＮＯｘが十分に還元されて排出されるようになる。
【００１９】
また、本発明に係る前記の工業炉においては、排気管に設けた排ガス処理部よりも燃焼排ガスの排出方向下流側の位置に、排ガス処理部から導かれた燃焼排ガスに含まれる未燃成分ガスを燃焼させる後燃焼装置を設けるようにすることができる。このようにすると、排ガス処理部において処理された燃焼排ガス中に未燃成分ガスが残っていても、この未燃成分ガスが前記の後燃焼装置により燃焼されてＣＯ2やＨ2Ｏに酸化され、未燃成分ガスが排出されるのが防止されると共に、このように後燃焼装置により燃焼された燃焼排ガスが前記の第２熱交換手段に導かれ、この第２熱交換手段において、後燃焼装置により燃焼された燃焼排ガスの熱により燃焼バーナーに供給される燃焼用空気がさらに十分に加熱され、燃焼排ガスの熱をさらに効率よく利用できるようになる。
【００２０】
また、本発明に係る工業炉においては、前記のような燃焼バーナーを複数設けるようにすることができる。
【００２１】
また、本発明に係る他の工業炉においては、燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設ける一方、前記の排ガス処理部よりも燃焼排ガスの排出方向下流側の位置に、排ガス処理部から導かれた燃焼排ガスの熱によって予備加熱帯における雰囲気ガスを加熱させる第２熱交換手段を設け、予備加熱帯における雰囲気ガスを、この第２熱交換手段により加熱させて循環させるようにしている。このようにすると、燃焼排ガスの熱により、燃焼バーナーに供給する燃焼用空気を加熱させるだけではなく、予備加熱帯における雰囲気ガスを加熱させることもでき、燃焼排ガスの熱を有効に利用できるようになる。
【発明の効果】
【００２２】
本発明における工業炉においては、燃焼バーナーに燃料ガスと燃焼用空気とを供給し、燃料ガスを炉内で燃焼させて、燃焼後の燃焼排ガスを炉内から排気管を通して排出させるにあたり、前記のように排気管に三元触媒を収容させた排ガス処理部を設け、前記の燃焼排ガスを前記の排ガス処理部に導いて、燃焼排ガス中における有害なＮＯｘや、またＣＯガスや炭化水素（ＨＣ）ガス等からなる未燃成分ガスを適切に処理すると共に、前記の排ガス処理部よりも燃焼排ガスの排出方向上流側の位置に設けた第１熱交換手段において、排ガス処理部に導かれる燃焼排ガスの熱を利用して、燃焼バーナーに供給する燃焼用空気を加熱させるようにし、さらに排ガス処理部よりも燃焼排ガスの排出方向下流側の位置に設けた第２熱交換手段において、排ガス処理部から排出された燃焼排ガスの熱を利用して、燃焼バーナーに供給する燃焼用空気や、予備加熱帯における雰囲気ガスを加熱させるようにした。
【００２３】
この結果、本発明における工業炉においては、燃料ガスと燃焼用空気とを混合させて、炉内において燃料ガスを燃焼させた場合に、燃焼排ガス中におけるＮＯｘや未燃成分ガスが排気管に設けた排ガス処理部において適切に処理され、燃焼排ガス中にＮＯｘや未燃成分ガスが含まれない安全な状態で、排気管を通して燃焼排ガスを外部に適切に排出できるようになると共に、第１熱交換手段と第２熱交換手段とにおいて、燃焼排ガスの熱により、燃焼バーナーに供給される燃焼用空気や予備加熱帯における雰囲気ガスが十分に加熱され、燃焼排ガスの熱が有効に利用されるようになる。
【図面の簡単な説明】
【００２４】
【図１】本発明の実施形態に係る工業炉において、燃料ガスと燃焼用空気とを混合させて燃焼バーナーにより燃料ガスを燃焼させた後の燃焼排ガスを、排気管を通して排出させるにあたり、前記の排気管に、燃焼排ガスの排出方向上流側から順番に第１熱交換部と排ガス処理部と第２熱交換部とを設けた状態を示した概略説明図である。
【図２】前記の実施形態に係る工業炉において、前記の排ガス処理部と第２熱交換部との間に、排ガス処理部から導かれた燃焼排ガスに含まれる未燃成分ガスを燃焼させる後燃焼装置を設けた第１の変更例を示した概略説明図である。
【図３】前記の実施形態に係る工業炉において、燃焼バーナーに供給する燃料ガスの一部を排ガス処理部よりも燃焼排ガスの排出方向上流側の位置に導く燃料ガス案内路と、この燃料ガス案内路を通して案内する燃料ガスの量を制御する制御手段とを設けると共に、排ガス処理部と第２熱交換部との間に、排ガス処理部から導かれた燃焼排ガスに含まれる未燃成分ガスを燃焼させる後燃焼装置を設けた第２の変更例を示した概略説明図である。
【図４】本発明の実施形態に係る工業炉において、燃焼バーナーを炉に複数設け、各燃焼バーナーに供給する燃焼用空気を第１熱交換部と第２熱交換部とで加熱させる状態を示した概略説明図である。
【図５】本発明の実施形態に係る他の工業炉において、燃焼バーナーを炉に複数設け、各燃焼バーナーに供給する燃焼用空気を第１熱交換部で加熱させる一方、第２熱交換部において予備加熱帯における雰囲気ガスを加熱させる状態を示した概略説明図である。
【発明を実施するための最良の形態】
【００２５】
以下、本発明の実施形態に係る工業炉を添付図面に基づいて具体的に説明する。なお、本発明に係る工業炉は、下記の実施形態に示したものに限定されず、発明の要旨を変更しない範囲において、適宜変更して実施できるものである。
【００２６】
ここで、図１に示す実施形態に係る工業炉においては、炉１０の炉壁１１に燃焼バーナー１２を設け、この燃焼バーナー１２に、燃料ガス供給管２１を通して炭化水素（ＨＣ）ガス等の燃料ガスを供給すると共に、後述する第１熱交換手段３１と第２熱交換手段３２とにおいて、燃焼排ガスの熱により加熱された燃焼用空気を、燃焼用空気供給管２２を通して供給し、この燃焼バーナー１２において、燃料ガスと加熱された燃焼用空気とを混合させて、燃料ガスを炉１０内で燃焼させるようにしている。
【００２７】
そして、このように燃料ガスを炉１０内で燃焼させた後の燃焼排ガスを、炉１０内から排出させる排気管１３を設け、この排気管１３に三元触媒を収容させた排ガス処理部２３を設け、炉１０内で燃焼させた後の燃焼排ガスを、前記の排気管１３を通してこの排ガス処理部２３に導き、排ガス処理部２３に収容された三元触媒によって燃焼排ガスを処理するようにしている。
【００２８】
また、この実施形態に係る工業炉において、燃焼用空気を燃焼排ガスの熱によって加熱させる第１熱交換手段３１として、排ガス処理部２３よりも燃焼排ガスの排出方向上流側における排気管１３内に第１熱交換部３１を設けると共に、燃焼用空気を燃焼排ガスの熱によって加熱させる第２熱交換手段３２として、排ガス処理部２３よりも燃焼排ガスの排出方向下流側における排気管１３内に第２熱交換部３２を設けるようにしている。なお、この実施形態においては、第１熱交換部３１と第２熱交換部３２とをそれぞれ排気管１３内に設けるようにしたが、第１熱交換部３１と第２熱交換部３２とを排気管１３内から取り出した位置に設けるようにすることもできる。
【００２９】
そして、この実施形態においては、燃焼用空気を、送風装置３３により燃焼用空気案内管３４を通して前記の第２熱交換部３２に導き、この第２熱交換部３２において、燃焼用空気を排ガス処理部２３から導かれた燃焼排ガスの熱によって加熱させ、燃焼用空気を加熱させた後の燃焼排ガスを、前記のように排気管１３を通して排出させるようにしている。
【００３０】
また、前記のように第２熱交換部３２において加熱された燃焼用空気を、第２熱交換部３２から下流側における燃焼用空気案内管３４を通して前記の第１熱交換部３１に導き、この第１熱交換部３１において、前記のように加熱された燃焼用空気を排ガス処理部２３に導かれる前の燃焼排ガスの熱によってさらに加熱させ、このように加熱させた燃焼用空気を、前記の燃焼用空気供給管２２を通して燃焼バーナー１２に供給し、前記のように加熱された燃焼用空気を燃料ガスと混合させて、燃料ガスを燃焼させるようにしている。
【００３１】
このようにすると、第１熱交換部３１と第２熱交換部３２とにおいて、燃焼用排ガスの熱により燃焼用空気が十分に加熱され、この状態で、燃焼バーナー１２に導かれて燃料ガスが燃焼されるようになり、燃焼用排ガスの熱を有効に利用できるようになると共に、前記の第１熱交換部３１において燃焼用排ガスと燃焼用空気との間で熱交換が行われて、排気管１３から前記の排ガス処理部２３に導かれる燃焼用排ガスの温度が低下し、燃焼用排ガスの温度が、排ガス処理部２３に収容させた三元触媒三元触媒が機能できる温度領域を超えた温度になるのが防止され、三元触媒によって燃焼用排ガスを適切に処理できるようになる。なお、三元触媒が機能できる温度領域は約４００℃〜８００℃である。
【００３２】
ここで、前記の工業炉において、前記の燃料ガス供給管２１と燃焼用空気供給管２２とを通して燃焼バーナー１２に燃料ガスと燃焼用空気とを供給するにあたり、燃焼時に発生するＮＯｘの量を少なくするためには、燃料ガスに対する燃焼用空気の量を少なくし、例えば、燃焼用空気の空気比μを１．０以下にして、前記の燃焼バーナー１２において燃料ガスを燃焼させるようにする。
【００３３】
このように、燃料ガスに対する燃焼用空気の量を少なくして燃焼させると、燃焼排ガスに含まれるＮＯｘが減少すると共に、この燃焼排ガス中にＣＯガスや炭化水素（ＨＣ）ガス等の未燃成分ガスが残るようになる。
【００３４】
そして、このようにＮＯｘと未燃成分ガスとが残った燃焼排ガスを、炉１０内から前記の排気管１３を通して排ガス処理部２３に導くと、この排ガス処理部２３に収容された三元触媒により、燃焼排ガスに残ったＮＯｘと未燃成分ガスとが反応して、ＮＯｘがＮ2に還元されると共に、未燃成分ガスがＣＯ2やＨ2Ｏに酸化された状態で排出されるようになる。
【００３５】
また、前記のようにＮＯｘと未燃成分ガスとが残った燃焼排ガスを排ガス処理部２３に収容された三元触媒によって処理するにあたり、燃料ガスに対する燃焼用空気の量がさらに少なくなって、燃焼排ガス中における未燃成分ガスが多くなり、排ガス処理部２３に収容された三元触媒によって十分に処理されず、排ガス処理部２３から未燃成分ガスが残った燃焼排ガスが排出されるおそれがある。
【００３６】
このため、前記の実施形態に係る工業炉において、図２に示すように、排気管１３に設けた前記の排ガス処理部２３よりも燃焼排ガスの排出方向下流側の位置に後燃焼装置２４を設け、この後燃焼装置２４に対して、必要に応じて、後燃焼用燃料ガス供給管２４ａから後燃焼用燃料ガスと、後燃焼用空気供給管２４ｂから後燃焼用空気とを供給させるようにすることができる。
【００３７】
そして、この工業炉においては、排ガス処理部２３から排出された燃焼排ガスに残った未燃成分ガスを前記の後燃焼装置２４において燃焼させ、未燃成分ガスをＣＯ2やＨ2Ｏに酸化させて排出させるようにする。
【００３８】
このため、前記の排ガス処理部２３において未燃成分ガスが十分に処理されずに、未燃成分ガスが残った燃焼排ガスが排ガス処理部２３から排出されたとしても、この未燃成分ガスが後燃焼装置２４において燃焼されて処理されるようになり、未燃成分ガスが排出されるのを確実に防止できるようになる。
【００３９】
また、このように後燃焼装置２４により燃焼排ガス中における未燃成分ガスを燃焼させると、この後燃焼によって加熱された燃焼排ガスが前記の第２熱交換部３２に導かれ、この加熱された燃焼排ガスにより、前記のように第２熱交換部３２に導かれた燃焼用空気がさらに加熱されるようになり、後燃焼によって加熱された燃焼排ガスの熱も有効に利用されるようになる。なお、この実施形態においては、燃焼排ガスに残った未燃成分ガスを火炎によって燃焼させる後燃焼装置２４を用いるようにしたが、後燃焼装置２４はこのようなものに限定されず、電気加熱等によって燃焼排ガスに残った未燃成分ガスを燃焼させることもできる。
【００４０】
また、前記のように排ガス処理部２３よりも燃焼排ガスの排出方向下流側の位置に後燃焼装置２４を設けた工業炉においては、図３に示すように、燃料ガス供給管２１を通して燃焼バーナー１２に供給する燃料ガスの一部を、前記の排気管１３に設けた排ガス処理部２３よりも燃焼排ガスの排出方向上流側の位置に導く燃料ガス案内路２５と、この燃料ガス案内路２５を通して排ガス処理部２３よりも燃焼排ガスの排出方向上流側の位置における排気管１３に供給する燃料ガスの量を制御する制御弁（制御手段）２５ａとを設けるようにすることができる。
【００４１】
そして、この工業炉においては、前記の燃焼バーナー１２において燃焼された後の燃焼排ガスに含まれるＮＯｘの量に対応させて、前記の制御弁２５ａにより、燃料ガス案内路２５を通して案内する燃料ガスの量を制御させるようにする。
【００４２】
ここで、前記のように燃料ガス供給管２１と燃焼用空気供給管２２とを通して燃焼バーナー１２に供給する燃料ガスと燃焼用空気とを供給するにあたり、燃焼用空気の量を多くし、例えば、空気比μが１．０を超えるようにして、燃料ガスを前記の燃焼バーナー１２において燃焼させた場合、十分な量の燃焼用空気によって燃料ガスが燃焼され、燃焼排ガス中におけるＣＯガスや炭化水素（ＨＣ）ガス等の未燃成分ガスが減少する一方、燃焼時にＮＯｘが多く発生して、燃焼排ガス中にＮＯｘが多く含まれるようになる。
【００４３】
そして、このように燃焼排ガス中にＮＯｘが多く含まれるようになった場合には、前記の制御弁２５ａにより、前記の燃料ガス案内路２５を通して排ガス処理部２３よりも燃焼排ガスの排出方向上流側の位置に案内する燃料ガスの量を制御して、適当量の燃料ガスを排ガス処理部２３よりも燃焼排ガスの排出方向上流側の位置に供給し、この燃料ガスを前記のＮＯｘが多く含まれる燃焼排ガスと一緒にして、三元触媒を収容させた排ガス処理部２３に導くようにする。このようにすると、燃焼排ガス中におけるＮＯｘが、排ガス処理部２３に収容された三元触媒により、前記のように燃料ガス案内路２５を通して供給された燃料ガスと反応されてＮ2に還元されるようになる。
【００４４】
なお、このように燃料ガス案内路２５を通して燃料ガスを供給するようにした場合において、燃料ガス案内路２５を通して排ガス処理部２３に導かれる燃料ガスの量が多くなって、排ガス処理部２３から未燃成分ガスが残った燃焼排ガスが排出される場合には、前記のように後燃焼装置２４により、排ガス処理部２３から排出された燃焼排ガス中における未燃成分ガスを燃焼させて、ＣＯ2やＨ2Ｏに酸化させた状態で排出させるようにすることができる。
【００４５】
次に、炉１０に複数の燃焼バーナー１２を設けた図４に示す工業炉について説明する。
【００４６】
ここで、図４に示す工業炉においては、各燃焼バーナー１２にそれぞれ燃料ガス供給管２１を通して炭化水素（ＨＣ）ガス等の燃料ガスを供給すると共に、前記の実施形態における工業炉と同様に、第１熱交換部３１と第２熱交換部３２とにおいて、燃焼用排ガスの熱により加熱された燃焼用空気を、燃焼用空気案内管３４を通して各燃焼バーナー１２における燃焼用空気供給管２２に導き、各燃焼用空気供給管２２を通して加熱された燃焼用空気を各燃焼バーナー１２に供給して燃料ガスを燃焼させ、このように燃焼させた後の燃焼排ガスを、炉１０内から排気管１３に導くようにしている。
【００４７】
そして、この工業炉においては、燃焼排ガスが導かれる排気管１３に径が大きくなった第１径大部１３ａを設け、この第１径大部１３ａ内に導かれた燃焼排ガスの熱によって燃焼用空気を加熱させる第１熱交換部３１を設けている。
【００４８】
また、この第１径大部１３ａと三元触媒を収容させた排ガス処理部２３との間における前記の排気管１３に、燃料ガスを案内する燃料ガス案内路２５を設けると共に、この燃料ガス案内路２５を通して排気管１３に供給する燃料ガスの量を制御する制御弁２５ａを設け、前記の各燃焼バーナー１２において燃焼された後の燃焼排ガスに含まれるＮＯｘの量に対応させて、前記の制御弁２５ａにより、燃料ガス案内路２５を通して案内する燃料ガスの量を制御するようにしている。
【００４９】
そして、燃焼排ガス中にＮＯｘが多く含まれるようになった場合には、前記のように燃料ガス案内路２５を通して排ガス処理部２３よりも燃焼排ガスの排出方向上流側の位置に案内する燃料ガスの量を前記の制御弁２５ａにより制御し、適当量の燃料ガスを排ガス処理部２３よりも燃焼排ガスの排出方向上流側の位置に供給し、この燃料ガスを前記のＮＯｘが多く含まれる燃焼排ガスと一緒にして三元触媒を収容させた排ガス処理部２３に導き、この排ガス処理部２３において、燃焼排ガス中におけるＮＯｘを前記の燃料ガスと反応させてＮ2に還元させるようにしている。
【００５０】
また、前記の排ガス処理部２３よりも燃焼排ガスの排出方向下流側の位置における排気管１３に後燃焼装置２４を設け、この後燃焼装置２４に対して、必要に応じて、後燃焼用燃料ガス供給管２４ａから後燃焼用燃料ガスと、後燃焼用空気供給管２４ｂから後燃焼用空気とを供給させるようにしている。
【００５１】
そして、前記の排ガス処理部２３から排出された燃焼排ガスにＣＯガスや炭化水素（ＨＣ）ガス等の未燃成分ガスが残っている場合には、この未燃成分ガスを前記のように後燃焼装置２４において燃焼させて、ＣＯ2やＨ2Ｏに酸化させるようにしている。
【００５２】
また、この工業炉においては、前記の後燃焼装置２４よりも燃焼排ガスの排出方向下流側における排気管１３に径が大きくなった第２径大部１３ｂを設け、この第２径大部１３ｂ内に導かれた燃焼排ガスの熱によって燃焼用空気を加熱させる第２熱交換部３２を設けている。
【００５３】
ここで、この工業炉においては、前記の工業炉と同様に、燃焼用空気を送風装置３３により燃焼用空気案内管３４を通して前記の第２熱交換部３２に導き、この第２熱交換部３２において、燃焼用空気を排ガス処理部２３から導かれた燃焼排ガスや前記の後燃焼装置２４において燃焼させた後の燃焼排ガスの熱によって加熱させ、このように加熱された燃焼用空気を第２熱交換部３２から燃焼用空気案内管３４を通して前記の第１熱交換部３１に導き、この第１熱交換部３１において、前記のように加熱された燃焼用空気を排ガス処理部２３に導かれる前の燃焼排ガスの熱によってさらに加熱させるようにする。
【００５４】
そして、このように第１熱交換部３１において加熱させた燃焼用空気を、前記の燃焼用空気案内管３４から各燃焼用空気供給管２２を通して各燃焼バーナー１２に供給し、各燃焼バーナー１２において、前記のように加熱された燃焼用空気を燃料ガスと混合させて、燃料ガスを燃焼させるようにしている。
【００５５】
一方、前記の第２径大部１３ｂにおける第２熱交換部３２において燃焼用空気を加熱させた後の燃焼排ガスは、前記の排気管１３を通して煙突１４から排出させるようにしている。
【００５６】
次に、炉１０に複数の燃焼バーナー１２を設けた図５に示す工業炉について説明する。なお、図５に示す工業炉は、前記の図４に示す工業炉と一致している点が多く存在するため、図４に示す工業炉と相違する点を中心に説明する。
【００５７】
ここで、図５に示す工業炉においては、図４に示す工業炉と同様に、炉１０内において燃焼された後の燃焼排ガスを導く排気管１３に径が大きくなった第１径大部１３ａを設け、この第１径大部１３ａ内に導かれた燃焼排ガスの熱によって燃焼用空気を加熱させる第１熱交換部３１を設けている。そして、この工業炉においては、この第１熱交換部３１に対して、送風装置３３により燃焼用空気案内管３４を通して燃焼用空気を送り込み、この第１熱交換部３１において加熱された燃焼用空気を、燃焼用空気案内管３４を通して各燃焼バーナー１２における燃焼用空気供給管２２に導くようにしている。
【００５８】
また、図５に示す工業炉においては、図４に示す工業炉と同様に、第１熱交換部３１が設けられた第１径大部１３ａと三元触媒を収容させた排ガス処理部２３との間における前記の排気管１３に、燃料ガスを案内する燃料ガス案内路２５を設けると共に、この燃料ガス案内路２５を通して排気管１３に供給する燃料ガスの量を制御する制御弁２５ａを設け、前記の各燃焼バーナー１２において燃焼された後の燃焼排ガスに含まれるＮＯｘの量に対応させて、前記の制御弁２５ａにより、燃料ガス案内路２５を通して案内する燃料ガスの量を制御するようにしている。
【００５９】
そして、燃焼排ガス中にＮＯｘが多く含まれるようになった場合には、前記のように制御弁２５ａにより燃料ガス案内路２５を通して排ガス処理部２３よりも燃焼排ガスの排出方向上流側の位置に案内する燃料ガスの量を制御し、適当量の燃料ガスを排ガス処理部２３よりも燃焼排ガスの排出方向上流側の位置に供給し、この燃料ガスを前記のＮＯｘが多く含まれる燃焼排ガスと一緒にして三元触媒を収容させた排ガス処理部２３に導き、この排ガス処理部２３において、燃焼排ガス中におけるＮＯｘを前記の燃料ガスと反応させて、Ｎ2に還元させるようにしている。
【００６０】
また、前記の排ガス処理部２３よりも燃焼排ガスの排出方向下流側の位置における排気管１３に後燃焼装置２４を設け、この後燃焼装置２４に対して、必要に応じて、後燃焼用燃料ガス供給管２４ａから後燃焼用燃料ガスと、後燃焼用空気供給管２４ｂから後燃焼用空気とを供給させ、前記の排ガス処理部２３から排出された燃焼排ガスにＣＯガスや炭化水素（ＨＣ）ガス等の未燃成分ガスが残っている場合には、この未燃成分ガスを前記のように後燃焼装置２４において燃焼させて、ＣＯ2やＨ2Ｏに酸化させるようしている。
【００６１】
ここで、この工業炉においても、図４に示す工業炉と同様に、後燃焼装置２４よりも燃焼排ガスの排出方向下流側における排気管１３に径が大きくなった第２径大部１３ｂを設け、この第２径大部１３ｂ内に第２熱交換部３２を設けるようにしている。
【００６２】
一方、図５に示す工業炉においては、鋼帯等の長尺状の処理物（図示せず）を連続して処理するために、前記の処理物を予備加熱するため予備加熱帯１５を、前記の炉１０と案内路１６を介して連通するように設けている。
【００６３】
そして、この工業炉においては、前記の予備加熱帯１５内における雰囲気ガスを、送風装置４１により雰囲気ガス循環管４２を通して前記の第２熱交換部３２に導き、この第２熱交換部３２において、前記の第２径大部１３ｂに導かれた排ガス処理部２３からの燃焼排ガスの熱や、前記の後燃焼装置２４によって後燃焼された後の燃焼排ガスの熱により前記の雰囲気ガスを加熱させ、このように加熱された雰囲気ガスを、雰囲気ガス循環管４２を通して予備加熱帯１５内に戻すようにし、予備加熱帯１５内における雰囲気ガスを、第２熱交換部３２において加熱させて循環させると共に、このように第２熱交換部３２において雰囲気ガスを加熱させた後の燃焼排ガスを、前記の排気管１３を通して煙突（図示せず）から排出させるようにしている。
【００６４】
なお、前記の第１及び第２の工業炉１においては、図３に示す工業炉１のように、燃料ガス供給管２１を通して燃焼バーナー部１２に供給する燃料ガスの一部を、前記の排ガス処理部２３よりも燃焼排ガスの排出方向上流側の位置に導く燃料ガス案内路２５と、この燃料ガス案内路２５を通して排ガス処理部２３よりも燃焼排ガスの排出方向上流側の位置に案内する燃料ガスの量を制御する制御弁２５ａとを設けると共に、各排ガス処理部２３から排出される燃焼排ガスを導く排気管１３に後燃焼装置２４を設けるようにしたが、必ずしもこれらを設ける必要はない。
【符号の説明】
【００６５】
１０    ：炉
１１    ：炉壁
１２    ：燃焼バーナー
１３    ：排気管
１３ａ  ：第１径大部
１３ｂ  ：第２径大部
１４    ：煙突
１５    ：予備加熱帯
１６    ：案内路
２１    ：燃料ガス供給管
２２    ：燃焼用空気供給管
２３    ：排ガス処理部
２４    ：後燃焼装置
２４ａ  ：後燃焼用燃料ガス供給管
２４ｂ  ：後燃焼用空気供給管
２５    ：燃料ガス案内路
２５ａ  ：制御弁（制御手段）
３１    ：第１熱交換部（第１熱交換手段）
３２    ：第２熱交換部（第２熱交換手段）
３３    ：送風装置
３４    ：燃焼用空気案内管
４１    ：送風装置
４２    ：雰囲気ガス循環管
【図１】
2018004171.tif 000003
【図２】
2018004171.tif 000004
【図３】
2018004171.tif 000005
【図４】
2018004171.tif 000006
【図５】
2018004171.tif 000007
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けると共に、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けたことを特徴とする工業炉。
【請求項２】
燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けると共に、前記の排ガス処理部と前記の第２熱交換手段との間に、前記の排ガス処理部から排出された燃焼排ガスに含まれる未燃成分ガスを燃焼させる後燃焼装置を設けたことを特徴とする工業炉。
【請求項３】
請求項２に記載の工業炉において、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けたことを特徴とする工業炉。
【請求項４】
請求項１〜請求項３の何れか１項に記載の工業炉において、前記の第２熱交換手段によって加熱された燃焼用空気を前記の第１熱交換手段に導き、この第１熱交換手段において、第２熱交換手段から導かれた加熱された燃焼用空気を燃焼排ガスの熱によりさらに加熱させて、前記の燃焼バーナーに供給させ、前記の排ガス処理部に収容させた三元触媒により、燃焼排ガスに含まれる窒素酸化物を燃焼排ガスに含まれる未燃成分ガスによって還元させることを特徴とする工業炉。
【請求項５】
請求項１〜請求項４の何れか１項に記載の工業炉において、前記の燃焼バーナーを複数設けたことを特徴とする工業炉。
【手続補正２】
【補正対象書類名】明細書
【補正対象項目名】００１２
【補正方法】変更
【補正の内容】
【００１２】
本発明に係る工業炉においては、前記のような課題を解決するため、燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けると共に、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けるようにした。
【手続補正３】
【補正対象書類名】明細書
【補正対象項目名】００１６
【補正方法】変更
【補正の内容】
【００１６】
また、本発明に係る前記の工業炉においては、前記のように排ガス処理部よりも燃焼排ガスの排出方向上流側の位置に燃料ガスを導く燃料ガス案内路と、この燃料ガス案内路を通して案内する燃料ガスの量を制御する制御手段とを設けるようにした。
【手続補正４】
【補正対象書類名】明細書
【補正対象項目名】００１９
【補正方法】変更
【補正の内容】
【００１９】
また、本発明に係る他の工業炉においては、燃焼バーナーに燃料ガスと燃焼用空気とを供給し、前記の燃焼バーナーにより燃料ガスを炉内において燃焼させ、燃焼後の燃焼排ガスを、炉内から排気管を通して排出させる工業炉において、前記の排気管に、三元触媒を収容させた排ガス処理部を設けると共に、前記の排ガス処理部よりも燃焼排ガスの排出方向上流側の位置に、燃焼排ガスの熱によって燃焼バーナーに供給する燃焼用空気を加熱させる第１熱交換手段を設け、さらに前記の排ガス処理部よりも燃焼排ガスの排出方向下流側の位置に、排ガス処理部から導かれた燃焼排ガスの熱によって燃焼バーナーに供給する燃焼用空気を加熱させる第２熱交換手段を設けると共に、排気管に設けた排ガス処理部よりも燃焼排ガスの排出方向下流側の位置に、排ガス処理部から導かれた燃焼排ガスに含まれる未燃成分ガスを燃焼させる後燃焼装置を設けるようにした。このようにすると、排ガス処理部において処理された燃焼排ガス中に未燃成分ガスが残っていても、この未燃成分ガスが前記の後燃焼装置により燃焼されてＣＯ2やＨ2Ｏに酸化され、未燃成分ガスが排出されるのが防止されると共に、このように後燃焼装置により燃焼された燃焼排ガスが前記の第２熱交換手段に導かれ、この第２熱交換手段において、後燃焼装置により燃焼された燃焼排ガスの熱により燃焼バーナーに供給される燃焼用空気がさらに十分に加熱され、燃焼排ガスの熱をさらに効率よく利用できるようになる。
【手続補正５】
【補正対象書類名】明細書
【補正対象項目名】００２０
【補正方法】変更
【補正の内容】
【００２０】
ここで、前記の他の工業炉においても、前記の排ガス処理部よりも燃焼排ガスの排出方向上流側の位置に燃料ガスを導く燃料ガス案内路と、この燃料ガス案内路を通して案内する燃料ガスの量を制御する制御手段とを設けるようにしたり、前記の第２熱交換手段において加熱された燃焼用空気を前記の第１熱交換手段に導き、この第１熱交換手段において、第２熱交換手段から導かれた加熱された燃焼用空気を燃焼排ガスの熱によりさらに加熱させて、前記の燃焼バーナーに供給させるようにすることができる。
【手続補正６】
【補正対象書類名】明細書
【補正対象項目名】００２１
【補正方法】変更
【補正の内容】
【００２１】
また、本発明に係る工業炉においては、前記のような燃焼バーナーを複数設けるようにすることができる。
【手続補正７】
【補正対象書類名】明細書
【補正対象項目名】００２４
【補正方法】変更
【補正の内容】
【００２４】
【図１】本発明の実施（参考）形態に係る工業炉において、燃料ガスと燃焼用空気とを混合させて燃焼バーナーにより燃料ガスを燃焼させた後の燃焼排ガスを、排気管を通して排出させるにあたり、前記の排気管に、燃焼排ガスの排出方向上流側から順番に第１熱交換部と排ガス処理部と第２熱交換部とを設けた状態を示した概略説明図である。
【図２】前記の実施（参考）形態に係る工業炉において、前記の排ガス処理部と第２熱交換部との間に、排ガス処理部から導かれた燃焼排ガスに含まれる未燃成分ガスを燃焼させる後燃焼装置を設けた状態を示した概略説明図である。
【図３】前記の実施（参考）形態に係る工業炉において、燃焼バーナーに供給する燃料ガスの一部を排ガス処理部よりも燃焼排ガスの排出方向上流側の位置に導く燃料ガス案内路と、この燃料ガス案内路を通して案内する燃料ガスの量を制御する制御手段とを設けると共に、排ガス処理部と第２熱交換部との間に、排ガス処理部から導かれた燃焼排ガスに含まれる未燃成分ガスを燃焼させる後燃焼装置を設けた状態を示した概略説明図である。
【図４】本発明の実施形態に係る工業炉において、燃焼バーナーを炉に複数設け、各燃焼バーナーに供給する燃焼用空気を第１熱交換部と第２熱交換部とで加熱させる状態を示した概略説明図である。
【図５】本発明の実施（参考）形態に係る他の工業炉において、燃焼バーナーを炉に複数設け、各燃焼バーナーに供給する燃焼用空気を第１熱交換部で加熱させる一方、第２熱交換部において予備加熱帯における雰囲気ガスを加熱させる状態を示した概略説明図である。
【手続補正８】
【補正対象書類名】明細書
【補正対象項目名】００２５
【補正方法】変更
【補正の内容】
【００２５】
以下、本発明の実施（参考）形態に係る工業炉を添付図面に基づいて具体的に説明する。なお、本発明に係る工業炉は、下記の実施形態に示したものに限定されず、発明の要旨を変更しない範囲において、適宜変更して実施できるものである。
【手続補正９】
【補正対象書類名】明細書
【補正対象項目名】００２６
【補正方法】変更
【補正の内容】
【００２６】
ここで、図１に示す実施（参考）形態に係る工業炉においては、炉１０の炉壁１１に燃焼バーナー１２を設け、この燃焼バーナー１２に、燃料ガス供給管２１を通して炭化水素（ＨＣ）ガス等の燃料ガスを供給すると共に、後述する第１熱交換手段３１と第２熱交換手段３２とにおいて、燃焼排ガスの熱により加熱された燃焼用空気を、燃焼用空気供給管２２を通して供給し、この燃焼バーナー１２において、燃料ガスと加熱された燃焼用空気とを混合させて、燃料ガスを炉１０内で燃焼させるようにしている。
【手続補正１０】
【補正対象書類名】明細書
【補正対象項目名】００２８
【補正方法】変更
【補正の内容】
【００２８】
また、この実施（参考）形態に係る工業炉において、燃焼用空気を燃焼排ガスの熱によって加熱させる第１熱交換手段３１として、排ガス処理部２３よりも燃焼排ガスの排出方向上流側における排気管１３内に第１熱交換部３１を設けると共に、燃焼用空気を燃焼排ガスの熱によって加熱させる第２熱交換手段３２として、排ガス処理部２３よりも燃焼排ガスの排出方向下流側における排気管１３内に第２熱交換部３２を設けるようにしている。なお、この実施（参考）形態においては、第１熱交換部３１と第２熱交換部３２とをそれぞれ排気管１３内に設けるようにしたが、第１熱交換部３１と第２熱交換部３２とを排気管１３内から取り出した位置に設けるようにすることもできる。
【手続補正１１】
【補正対象書類名】明細書
【補正対象項目名】００２９
【補正方法】変更
【補正の内容】
【００２９】
そして、この実施（参考）形態においては、燃焼用空気を、送風装置３３により燃焼用空気案内管３４を通して前記の第２熱交換部３２に導き、この第２熱交換部３２において、燃焼用空気を排ガス処理部２３から導かれた燃焼排ガスの熱によって加熱させ、燃焼用空気を加熱させた後の燃焼排ガスを、前記のように排気管１３を通して排出させるようにしている。
【手続補正１２】
【補正対象書類名】明細書
【補正対象項目名】００３１
【補正方法】変更
【補正の内容】
【００３１】
このようにすると、第１熱交換部３１と第２熱交換部３２とにおいて、燃焼排ガスの熱により燃焼用空気が十分に加熱され、この状態で、燃焼バーナー１２に導かれて燃料ガスが燃焼されるようになり、燃焼排ガスの熱を有効に利用できるようになると共に、前記の第１熱交換部３１において燃焼排ガスと燃焼用空気との間で熱交換が行われて、排気管１３から前記の排ガス処理部２３に導かれる燃焼排ガスの温度が低下し、燃焼排ガスの温度が、排ガス処理部２３に収容させた三元触媒が機能できる温度領域を超えた温度になるのが防止され、三元触媒によって燃焼排ガスを適切に処理できるようになる。なお、三元触媒が機能できる温度領域は約４００℃〜８００℃である。
【手続補正１３】
【補正対象書類名】明細書
【補正対象項目名】００３６
【補正方法】変更
【補正の内容】
【００３６】
このため、本発明の実施形態に係る工業炉においては、図２に示すように、排気管１３に設けた前記の排ガス処理部２３よりも燃焼排ガスの排出方向下流側の位置に後燃焼装置２４を設け、この後燃焼装置２４に対して、必要に応じて、後燃焼用燃料ガス供給管２４ａから後燃焼用燃料ガスと、後燃焼用空気供給管２４ｂから後燃焼用空気とを供給させるようにしている。
【手続補正１４】
【補正対象書類名】明細書
【補正対象項目名】００４６
【補正方法】変更
【補正の内容】
【００４６】
ここで、図４に示す工業炉においては、各燃焼バーナー１２にそれぞれ燃料ガス供給管２１を通して炭化水素（ＨＣ）ガス等の燃料ガスを供給すると共に、前記の実施形態における工業炉と同様に、第１熱交換部３１と第２熱交換部３２とにおいて、燃焼排ガスの熱により加熱された燃焼用空気を、燃焼用空気案内管３４を通して各燃焼バーナー１２における燃焼用空気供給管２２に導き、各燃焼用空気供給管２２を通して加熱された燃焼用空気を各燃焼バーナー１２に供給して燃料ガスを燃焼させ、このように燃焼させた後の燃焼排ガスを、炉１０内から排気管１３に導くようにしている。
【手続補正１５】
【補正対象書類名】明細書
【補正対象項目名】００５６
【補正方法】変更
【補正の内容】
【００５６】
次に、炉１０に複数の燃焼バーナー１２を設けた図５に示す他の工業炉について説明する。なお、図５に示す工業炉は、前記の図４に示す工業炉と一致している点が多く存在するため、図４に示す工業炉と相違する点を中心に説明する。